(57)【要約】      （修正有）【課題】種々の大きさの本に装着することができる材質の伸縮を活かし、本以外のものも包布できるフリーサイズブックカバーを提供する。【解決手段】表表紙、背表紙、および、裏表紙を外面から覆う矩形状の覆い部２と、覆い部の一面の両側部に、表表紙挿入用の袋部３と、裏表紙挿入用の袋部４とを備え、覆い部、表表紙挿入用の袋部、および、裏表紙挿入用の袋部は、上下方向、および、左右方向にそれぞれ伸縮性を有するシートで構成され、表表紙挿入用の袋部、および、裏表紙挿入用の袋部は、覆い部の中央に向く縁が各々開放され、表表紙の開き部と裏表紙の開き部とが挿入可能であり、覆い部の両側部の四隅に相当する部分の各袋部の内側の四隅に、表表紙の開き部の上下の角部分と、裏表紙の開き部の上下の角部分とを内部に挟み入れて保持するコーナ部材５が配設されており、さらに、表表紙挿入用の袋部と、裏表紙挿入用の袋部を伸ばして反対側の表紙を包布する。【選択図】図１
2016088072.tif 000002
【特許請求の範囲】
【請求項１】
対象となる書籍の表表紙、背表紙、および、裏表紙を外面から覆う矩形状の覆い部と、前記、覆い部の一面の両側部に、表表紙挿入用の袋部と、裏表紙挿入用の袋部とを備え、  前記、覆い部、前記、表表紙挿入用の袋部、および、前記、裏表紙挿入用の袋部は、上下方向、および、左右方向に、それぞれ伸縮性を有するシートで構成され、前記、表表紙挿入用の袋部、および、前記、裏表紙挿入用の袋部は、前記、覆い部の中央に向く縁が各々開放され、前記、表表紙の開き部と、前記、裏表紙の開き部とがそれぞれ挿入可能であり、前記、覆い部の両側部の四隅に相当する部分の前記、表表紙挿入用の袋部の内側、ならびに、前記、裏表紙挿入用の袋部の内側との四隅に、前記、表表紙の開き部の上下の角部分と、前記、裏表紙の開き部の上下の角部分とをそれぞれ内部に挟み入れて保持するコーナ部材が配設されている、ことを特徴とするフリーサイズブックカバー。
【請求項２】
前記、表表紙挿入用の袋部の外面、あるいは、前記、裏表紙挿入用の袋部の外面に上方に開口したポケットが設けられたことを特徴とする請求項１のフリーサイズブックカバー。
【請求項３】
前記、表表紙の開き部と、前記、裏表紙の開き部とがそれぞれ挿入の袋部分を布が伸びる特性を生かしてもう片方の表紙まで覆って、ページ側を包み込む包布式のフリーサイズブックカバー。
【請求項４】
本発明のフリーサイズブックカバーの内部に挟みいれて保持するコーナー部材をページキーパーとして使用することも可能で、書籍などのページの開きの確保と楽譜のリピート記号によるページの往復を容易にするフリーサイズブックカバー。
【請求項５】
本発明のフリーサイズブックカバーは、包布が容易な特性を生かし、本以外の、弁当箱、針箱、宝石箱、その他、文房具、などにも使用されるフリーサイズブックカバー。
【発明の詳細な説明】
【技術分野】
【０００１】  本発明は、本の保護や美観を保つためと、本を持ち歩くときのため、ページ側を包布して保護しページの間のものを落ちないように考えたフリーサイズブックカバーに関するものである。
【背景技術】
【０００２】  従来、提案されているブックカバーとしては、非伸縮性可撓シートでなり、書籍への装着時に該書籍の背部分を覆う部分に高分子が、含浸、または、コーティングされて複数の折り目が上下方向に互いに平行に設けられており、かつ、それらの折り目が折曲ないし折り畳み状態で、あらかじめ、加硫処理されていることにより伸縮部とされているブックカバーが公知である（特許文献１参照）。  不織布の一面にポリオレフィン樹脂からなる目止め層が、また、該不織布のほかの一面には、粘着層が設けられた基材シートからなるブックカバーが公知である（特許文献２参照）。  基材シートには、対象となる本の表表紙とほぼ等しい形状、大きさの表部、背表紙の大きさとほぼ等しい大きさの背部、裏表紙の大きさとほぼ等しい大きさの裏部とが一体になされ、表部の３つの周縁に表表紙の３辺を挟み込むことのできる折り返し片が形成され、同様に、裏部の３つの周縁に裏表紙の３辺を挟み込むことのできる折り返し片が形成され、表部の折り返し片と裏部の折り返し片との間には背表紙を挟み込むことができる折り返し片が形成されているものである。
【先行技術文献】
【特許文献】
【０００３】
【特許文献１】特公平６−２２９３１号公報
【特許文献２】特開平６−９２０６３号公報
【発明の概要】
【発明が解決しようとする課題】
【０００４】  上記、特許文献１に記載のブックカバーは、非伸縮性、および、可撓性を有する不織布によって構成されており、本の厚さに対して伸縮性を持たせるために、書籍の背部分を覆う部分に上下方向に互いに平行に複数の折り目を形成しなければならない。  また、折り目には、高分子が含浸、または、コーティングされて加硫処理しなければならないので、製造に工数がかかる。  また、本の上下方向に伸張性を有していないので、種々の大きさの本には対応不向きなものである。【０００５】  上記、特許文献２に記載のブックカバーは、本の表示に合わせて張りつける作業が面倒であり、しかも、一度貼り付けたブックカバーを剥がしたり、別の本に再度ブックカバーとして使用するものではない。  そこで、本発明は、上述の従来技術の不具合を解消することを課題とするものであり、製造のための工数が少なく、種々の大きさの本に対応して装着することができるようなフリーサイズブックカバーを提供することにある。  そして、ページ側を包布して保護し、本の間に挟んだものを落とさないように持ち歩きができ、さらに、ページキーパーを付けて使用するときにはページの開きをきちんと保つようにした。
【課題を解決するための手段】
【０００６】  請求項１に係るフリーサイズブックカバーは、上記、課題を解決するために、対象となる書籍の表表紙、背表紙、および、裏表紙を外面から覆う矩形状の覆い部と、前記、覆い部の一面の両側部に、表表紙挿入用の袋部と裏表紙挿入用の袋部とを備え、  前記、覆い部、前記、表表紙挿入用の袋部、および、前記、裏表紙挿入用の袋部は、上下方向、および、左右方向に、それぞれ伸縮性を有するシートで構成され、前記、表表紙挿入用の袋部、および、前記、裏表紙挿入用の袋部は、前記、覆い部の中央に向く縁が各々開放され、前記、表表紙の開き部と前記、裏表紙の開き部とがそれぞれ挿入可能であり、前記、覆い部の両側部の四隅に相当する部分の前記、表表紙挿入用の袋部の内側、ならびに、前記、裏表紙挿入用の袋部の内側との四隅に、前記、表表紙の開き部の上下の角部分と、前記、裏表紙の開き部の上下の角部分とをそれぞれ内部に挟み入れて保持するコーナ部材が配設されていることを特徴とする【０００７】  請求項２に係るフリーサイズブックカバーは、請求項１に係るフリーサイズブックカバーにおいて、前記、表表紙挿入用の袋部の外面、あるいは、前記、裏表紙挿入用の袋部の外面に上方に開口したポケットが設けられたことを特徴とするものである。【０００８】  請求項３に係るフリーサイズブックカバーは、前記、表表紙の開き部と、前記、裏表紙の開き部とがそれぞれ挿入の袋部分を布が伸びる特性を生かして、もう片方の表紙まで覆って、ページ側を包み込む包布式のものである。【０００９】  請求項４に係るフリーサイズブックカバーは、ページキーパーを付属品として付け、書籍などのページの開きの確保と楽譜のリピート記号によるページの往復を容易にした。  請求項４に係るフリーサイズブックカバーは、別な使用法として簡単に包布できることから、弁当箱、針箱、宝石箱、その他、文房具の保護と持ち運びのために用いられることを容易にした。
【発明の効果】
【００１０】  請求項１に係るフリーサイズブックカバーによれば、書籍の表表紙の開き部を表表紙挿入用の袋部に挿入し、表表紙の開き部の上下の角部分を各コーナ部材に、それぞれ挟み入れ、裏表紙の開き部を裏表紙挿入用の袋部に挿入し、裏表紙の開き部の上下の角部分を各コーナ部材にそれぞれ挟み入れて保持させる。  このため、手間がかからず、簡単にブックカバーを書籍に装着することができる。  覆い部、表表紙挿入用の袋部、および、裏表紙挿入用の袋部は、上下方向、および、左右方向にそれぞれ伸縮性を有するシートで構成されているので、種々の大きさ（表紙の大きさや厚み）の書籍に対応して装着することができる。  また、ブックカバーを取り外し、別の本に再度ブックカバーとして装着して使用することができる。【００１１】  請求項２に係るフリーサイズブックカバーによれば、表表紙挿入用の袋部の外面、あるいは、裏表紙挿入用の袋部の外面に上方に開口したポケットが設けられているので、必要に応じて、メモ書き用紙や筆記具入れとして使用したり、各種のポイントカードや切符入れとして使用することができる。【００１２】  請求項３に係るフリーサイズブックカバーは、前記、表表紙の開き部と、前記、裏表紙の開き部とがそれぞれ挿入の袋部分を布が伸びる特性を生かして、もう片方の表紙まで覆って、ページ側を包み込む包布式のものである。【００１３】  求項４請に係るフリーサイズブックカバーは、ページキーパーを付属品として付け、書籍などのページの開きの確保と楽譜のリピート記号によるページの往復を容易にした。
【発明を実施するための形態】
【００１４】  以下、本発明の実施の形態に係るフリーサイズブックカバーを、図面を参照して説明する。  図１は、本発明の実施の形態に係るフリーサイズブックカバーの正面図であり、図３は本発明の実施の形態に係るフリーサイズブックカバーを書籍に装着した状態を示した斜視図である。  フリーサイズブックカバー１は、対象となる書籍の表表紙１０、背表紙１１、および、裏表紙１２を外面から覆う矩形状の覆い部２と、覆い部２の一面の両側部に、表表紙挿入用の袋部３と、裏表紙挿入用の袋部４とを備え、覆い部２、表表紙挿入用の袋部３、および、裏表紙挿入用の袋部４は、上下方向、および、左右方向に、それぞれ伸縮性を有するシート（本実施の形態では、伸縮性を有する布）で構成されている。  本実施の形態では、伸縮性を有する横長の布体の両側部分を適宜箇所で上下方向を折り返し線として、それぞれ覆い部２の一面に折り返し、折り返し部分の上縁部分、ならびに、下縁部分を覆い部２に対して縫着することにより、表表紙挿入用の袋部３、および、裏表紙挿入用の袋部４が形成されている。  したがって、表表紙挿入用の袋部３、および、裏表紙挿入用の袋部４は、覆い部２の中央に向く縁が各々開放されて挿入口３ａ、４ａにそれぞれ形成され、表表紙１０の開き部１０ａと裏表紙１２の開き部１２ａとがそれぞれ挿入可能であり、前記、表表紙の開き部と、前記、裏表紙の開き部とがそれぞれ挿入の袋部分を布が伸びる特性を生かしてもう片方の表紙まで覆って、ページ側を包み込む包布式を可能にした。  覆い部２の両側部の四隅に相当する部分の表表紙挿入用の袋部３の内側、ならびに、裏表紙挿入用の袋部４の内側との四隅には、表表紙１０の開き部１０ａの上下の角部分と、裏表紙１２の開き部１２ａの上下の角部分とをそれぞれ内部に挟み入れて保持するコーナ部材５が配設されている。  コーナ部材５は、表表紙１０の開き部１０ａの上下の角部分、および、裏表紙１２の開き部１２ａの上下の角部分を保護できる程度の硬さの素材、たとえば、合成樹脂、金属、硬質紙等で構成される。  各コーナ部材５は、図２に示すように、略１／４円形状をなし、径縁部分５ａ、５ａが外部に対して封止されると共に周縁部分５ｂが外部に対して開口され、内側が本の角部を挟持可能な程度の厚みの中空部５ｃとなっている。  各コーナ部材５は、径縁部分５ａが表表紙挿入用の袋部３の隅部と裏表紙挿入用の袋部４の隅部に沿って配置されている。  その他、実施の形態のフリーサイズブックカバー１は、表表紙挿入用の袋部３の外面、あるいは、裏表紙挿入用の袋部４の外面に上方に開口したポケット６（メモ書き用紙や筆記具入れとして使用）が設けられ、表表紙挿入用の袋部３の外面、あるいは、裏表紙挿入用の袋部４の外面に上方に開口したカード入れや切符入れ用（各種のポイントカードや名刺サイズより若干大きい程度の大きさ）のポケット７が設けられている。  書籍の表表紙１０の開き部１０ａを表表紙挿入用の袋部３に挿入し、表表紙１０の開き部１０ａの上下の角部分を各コーナ部材５、５に、それぞれ挟み入れ、裏表紙１２の開き部１２ａを裏表紙挿入用の袋部４に挿入し、裏表紙１２の開き部１２ａの上下の角部分を各コーナ部材５、５に、それぞれ挟み入れて保持��せる。  覆い部２、表表紙挿入用の袋部３、および、裏表紙挿入用の袋部４は、上下方向、および、左右方向にそれぞれ伸縮性を有する布で構成されているので、製造のための工数が少なく、種々の大きさの本に対応して装着することができる。  また、フリーサイズブックカバー１を取り外し、別の本に再度ブックカバーとして装着して使用することができる。  なお、本発明のフリーサイズブックカバーを大小２種類用意すれば、より一層種々の大きさの本に対応して装着することができる。
【図面の簡単な説明】
【００２２】
【図１】本発明の実施の形態に係るフリーサイズブックカバーの平面図である。
【図２】コーナ部材の平面図である。
【図３】本発明の実施の形態に係るフリーサイズブックカバーを書籍に装着した状態を示した斜視図である。
【図４】前記、表表紙の開き部と、前記、裏表紙の開き部とが、それぞれ挿入の袋部分を布が伸びる特性を生かしてもう片方の表紙まで覆って、ページ側を包み込む包布式のものである。
【符号の説明】
【００２３】１  フリーサイズブックカバー２  覆い部３  表表紙挿入用の袋部３ａ  挿入口４  裏表紙挿入用の袋部４ａ  挿入口５  コーナ部材５ａ  径縁部分５ｂ  周縁部分５ｃ  中空部６  ポケット７  ポケット１０  表表紙１０ａ  開き部１１  背表紙１２  裏表紙１２ａ  開き部
【図１】
2016088072.tif 000003
【図２】
2016088072.tif 000004
【図３】
2016088072.tif 000005
【図４】
2016088072.tif 000006